(57)【要約】【課題】大型にしないで、かつ、バッテリーを容易に交換することが可能なＸ線検出装置を提供する。【解決手段】実施形態のＸ線検出装置は、給電手段を有する。給電手段は、スロットと、給電機構とを有する。スロットは、バッテリーを収納可能な貫通穴の形状を有し、貫通穴の両端のいずれか一方を入口とし、他方を出口とし、第１のバッテリーが収納されている状態で、入口から第２のバッテリーが挿入されたとき、第２のバッテリーが挿入された分だけ、出口から第１のバッテリーが押し出されることにより、バッテリーが交換されるように構成される。給電機構は、貫通穴の内壁部に設けられた給電端子と、バッテリーの電極とを有し、バッテリーが交換される過程で、第１のバッテリーに接続、第１のバッテリーと第２のバッテリーの双方に接続、および、第２のバッテリーに接続の三つの接続を連続して切替可能に構成される。【選択図】図２
2015102471.tif 000002
【特許請求の範囲】
【請求項１】
Ｘ線を発生するＸ線発生部に対向する位置に装着され、前記Ｘ線発生部からのＸ線を検出可能に構成され、給電手段を有するＸ線検出装置において、
前記給電手段は、
バッテリーを収納可能な貫通穴の形状を有し、前記貫通穴の両端のいずれか一方を入口とし、他方を出口とし、第１のバッテリーが収納されている状態で、前記入口から第２のバッテリーが挿入されたとき、前記第２のバッテリーが挿入された分だけ、前記出口から前記第１のバッテリーが押し出されることにより、バッテリーが交換されるように構成されたスロットと、
前記貫通穴の内壁部に設けられた給電端子と、バッテリーの電極とを有し、前記バッテリーが交換される過程で、前記第１のバッテリーに接続、前記第１のバッテリーと前記第２のバッテリーの双方に接続、および、前記第２のバッテリーに接続の三つの接続を連続して切替可能に構成された給電機構と、
を有する
ことを特徴とするＸ線検出装置。
【請求項２】
前記給電機構は、互いに電気接続された２組の前記給電端子が前記スロットの挿入方向に所定間隔離れて配置され、
前記給電端子に対向する位置に設けられた前記各バッテリーの各電極の長さは、前記所定間隔より長く、前記挿入時に並んだときの二つのバッテリー間の電極間の間隔は前記所定間隔より短いことを特徴とする請求項１に記載のＸ線検出装置。
【請求項３】
前記挿入方向で手前側に配置された前記給電端子から奥側に配置された前記給電端子への電流を遮断するように逆流防止素子が設けられることを特徴とする請求項２に記載のＸ線検出装置。
【請求項４】
前記Ｘ線検出装置は、４つの角部をもつ略矩形状の外形を有し、
前記スロットは、前記角部に設けられ、前記角部を挟む両辺縁を貫通する前記貫通穴の形状を有する
ことを特徴とする請求項１から３のいずれかに記載のＸ線検出装置。
【請求項５】
端部同士が軸支された一対のフック部材と付勢部材とを有し、前記入口に挿入された第２のバッテリーにより前記付勢部材の付勢力に抗して、一対のフック部材のなす角度が前記挿入方向に広がって、前記貫通穴に収納された第１のバッテリーから離間して、前記第１のバッテリーの移動を許容するアンロック位置と、前記付勢力により前記角度が狭められて前記一対のフック部材が前記貫通穴に収納された第２のバッテリーを挟んで前記第２のバッテリーの移動を拘束するロック位置とに変位可能に構成されたロック機構をさらに有する
ことを特徴とする請求項１から４のいずれかに記載のＸ線検出装置。
【請求項６】
前記ロック機構は、前記一対のフック部材の間に配置された制限部材を有し、前記制限部材の両端が前記一対のフック部材に当接することにより、前記角度が前記ロック位置のときとほぼ同じに狭められた待機位置に前記一対のフック部材を拘束し、前記一対のフック部材がアンロック位置のとき、前記制限部材を前記スロットの内方向において前記一対のフック部材の位置と同じに、または、前記一対のフック部材の位置より内側に位置させることにより、前記交換される過程において前記バッテリーを案内するように構成されることを特徴とする請求項５に記載のＸ線検出装置。
【発明の詳細な説明】
【技術分野】
【０００１】
本発明の実施形態は、Ｘ線検出装置に関する。
【背景技術】
【０００２】
Ｘ線を照射するＸ線発生部に対向する位置に着脱可能に構成され、Ｘ線発生部から照射されたＸ線を検出可能な可搬型のＸ線検出装置がある。
【０００３】
この種のＸ線検出装置は、複数の検出素子と、バッテリーに電気的に接続して検出素子に電力を供給する給電手段と、バッテリーを接続状態に拘束するロック機構と、を有する。
【０００４】
バッテリーは定期的に交換される。バッテリーの交換に伴い、一旦、電源を切ると再接続までに時間が必要となる。これを回避するために、Ｘ線検出装置の内部に一時的にキャパシタが設けられたものがある。
さらに、Ｘ線検出装置の２つの側面に給電手段が設けられたものがある（例えば、特許文献１）。
【先行技術文献】
【特許文献】
【０００５】
【特許文献１】特開２０１２−６３３４１号公報
【発明の概要】
【発明が解決しようとする課題】
【０００６】
しかしながら、キャパシタの容量は小さく、短時間で電源が切れるという問題があった。さらに、バッテリーを交換するためには、旧のバッテリーを拘束解除し、旧のバッテリーを給電手段から外し、新たなバッテリーを給電手段に接続し、新たなバッテリーを拘束する作業が必要となる。そのため、バッテリーの交換作業に手間がかかるという問題点があった。さらに、上記公報に記載された技術では、Ｘ線検出装置において、２つの給電手段を設置するための２つのスペースが必要となり、スペースが増えた分だけ、Ｘ線検出装置が大型になるという問題点があった。
【０００７】
この実施形態は、上記の問題を解決するものであり、大型にしないで、かつ、バッテリーを容易に交換することが可能なＸ線検出装置を提供することを目的とする。
【課題を解決するための手段】
【０００８】
上記課題を解決するために、実施形態のＸ線検出装置は、Ｘ線を発生するＸ線発生部に対向する位置に装着され、Ｘ線発生部からのＸ線を検出可能に構成され、給電手段を有する。給電手段は、スロットと、給電機構とを有する。スロットは、バッテリーを収納可能な貫通穴の形状を有し、貫通穴の両端のいずれか一方を入口とし、他方を出口とし、第１のバッテリーが収納されている状態で、入口から第２のバッテリーが挿入されたとき、第２のバッテリーが挿入された分だけ、出口から第１のバッテリーが押し出されることにより、バッテリーが交換されるように構成される。給電機構は、貫通穴の内壁部に設けられた給電端子と、バッテリーの電極とを有し、バッテリーが交換される過程で、第１のバッテリーに接続、第１のバッテリーと第２のバッテリーの双方に接続、および、第２のバッテリーに接続の三つの接続を連続して切替可能に構成されることを特徴とする。
【図面の簡単な説明】
【０００９】
【図１】Ｘ線診断装置の構成ブロック図。
【図２】第１実施形態に係るＸ線検出装置の概念図。
【図３】給電手段の回路図。
【図４Ａ】バッテリーが交換される過程で、給電端子が第１のバッテリーに接続したときの状態を示す図。
【図４Ｂ】バッテリーが交換される過程で、給電端子が双方のバッテリーに接続したときの状態を示す図。
【図４Ｃ】バッテリーが交換される過程で、給電端子が第２のバッテリーに接続したときの状態を示す図。
【図５Ａ】第２実施形態に係る貫通穴に収納された第１のバッテリーを示す図。
【図５Ｂ】入口に挿入された第２のバッテリーおよび出口から押し出された第１のバッテリーを示す図。
【図５Ｃ】貫通穴に収納された第２のバッテリーを示す図。
【図６Ａ】第３実施形態において、貫通穴に収納された第１のバッテリーを挟む一対のフック部材を示す図。
【図６Ｂ】第１のバッテリーから離間された一対のフック部材を示す図。
【図６Ｃ】貫通穴に収納された第２のバッテリーを挟む一対のフック部材を示す図。
【図７】第４実施形態に係るＸ線検出装置を概念的に示す正面図。
【図８】Ｘ線検出装置を概念的に示す側面図。
【発明を実施するための形態】
【００１０】
図１を参照して、Ｘ線診断装置１について説明する。図１はＸ線診断装置１の構成ブロック図である。
【００１１】
Ｘ線診断装置１は、可搬型の複数のＸ線検出装置１０を保管するとともに、複数のＸ線検出装置１０のいずれかを用いて、Ｘ線検出装置１０に対しＸ線を照射するＸ線発生部１１を有する。Ｘ線検出装置１０は、被検体（患者）についてのＸ線撮影において、Ｘ線発生部１１に対向する位置に装着され、Ｘ線発生部１１から照射されて被検体を透過したＸ線を検出する。
【００１２】
図１に示すように、Ｘ線診断装置１は、画像処理部２１、インターフェース２２、および、制御部３０を有する。画像処理部２１は、Ｘ線撮影において、Ｘ線検出装置１０により検出されたＸ線に基づいて画像を再構成する。インターフェース２２は、表示制御部２３、表示部２４、および、入力部２５を有する。表示制御部２３は、画像処理部２１により再構成された画像を表示部２４に表示させる。制御部３０は、入力部２５の操作による指示を受けて、Ｘ線検出装置１０およびＸ線発生部１１を制御してＸ線撮影を行わせる。
【００１３】
［第１実施形態］
Ｘ線検出装置１０の第１実施形態について各図を参照して説明する。
Ｘ線検出装置１０の構成について図２を参照して簡単に説明する。図２は、Ｘ線検出装置１０の概念図、図３は給電手段の回路図である。
【００１４】
図２および図３に示すように、可搬型のＸ線検出装置１０は、複数の検出素子を含む回路（以下、単に「検出素子」という）と、バッテリー４０に接続して検出素子に電力を供給する給電手段５０とを有する。また、Ｘ線検出装置１０は、４つの角部をもつ略矩形状の外形を有する。
【００１５】
（スロット５１）
図２に示すように、給電手段５０はスロット５１と給電機構とを有する。スロット５１は、Ｘ線検出装置１０の外形の両側縁を貫通し、バッテリー４０を収納可能な貫通穴の形状を有する。貫通穴の両端は入口でもあり、出口でもある。ここで、以下の説明では、バッテリー４０が挿入される方の端を入口５１１といい、バッテリー４０が押し出される方の端を出口５１２と称する。ここで、交換される側の被交換用のバッテリーを第１のバッテリー４０とし、交換する側の交換用のバッテリーを第２のバッテリー４０とする。
【００１６】
貫通穴の長さは、第１のバッテリー４０が収納されている状態で、入口５１１から第２のバッテリー４０が挿入されたとき、第２のバッテリー４０が挿入された分だけ、出口５１２から第１のバッテリー４０が押し出されるように、さらに、第２のバッテリー４０が収納されたとき、第１のバッテリー４０が貫通穴から外れるように設定される。
【００１７】
（給電機構）
給電機構は、給電端子とバッテリー４０の電極とを有する。
図３に示すように、給電機構は、貫通穴の内壁部５１３に設けられ、スロット５１の挿入方向に所定間隔離して配置されたプラス、マイナスの電極を組とする２組の給電端子６１（６３ａ）、６２（６３ｂ）が設けられている。図３に、２組の給電端子６１（６３ａ）、６２（６３ｂ）の間隔を“Ｌ１”で示す。給電端子６１（６３ａ）を挿入方向の奥側に配置された端子とし、給電端子６２（６３ｂ）を挿入方向の手前側に配置された端子とする。
【００１８】
２組の給電端子６１（６３ａ）、６２（６３ｂ）は互いに電気接続される。プラス側の給電端子６１、６２は、挿入されて収納された動作状態のバッテリー４０のプラス電極４１に対向する位置に設けられ、プラス電極４１に接続される。マイナス側の給電端子６３ａ、６３ｂは、挿入されて収納された動作状態のバッテリー４０のマイナス電極４２に対向する位置に設けられ、マイナス電極４２に接続される。
【００１９】
なお、給電端子６１、６２および給電端子６３ａ、６３ｂは、内壁部５１３において同じ側にかつ並列に設けられてもよい。さらに、給電端子６３ａ、６３ｂは、電気的に接続されてもよく、一体に形成されてもよい。さらに、給電端子６１、６２がマイナス電極４２に接続され、給電端子６３ａ、６３ｂがプラス電極４１に接続されるように構成されてもよい。
【００２０】
（給電端子６１、６２の間隔Ｌ１とプラス電極４１の長さ等との関係）
図３に、各バッテリー４０のプラス電極４１の長さ“Ｌ２”で示し、また、挿入時に並んだ二つのバッテリー４０のプラス電極４１の間隔を“Ｌ３”で示す。図３に示すように、プラス電極４１の長さＬ２は、２組の給電端子６１（６３ａ）、６２（６３ｂ）の間隔Ｌ１より長い。また、挿入時に並んだ二つのバッテリー４０のプラス電極４１の間隔Ｌ３は間隔Ｌ１より短い。
【００２１】
この給電端子とバッテリー４０の電極とがなす構成により、第１のバッテリー４０を第２のバッテリー４０に交換するとき、給電を停止することなく、連続して行える。
【００２２】
次にその交換の状態について図３および図４Ａから図４Ｃを参照して説明する。図４Ａは、バッテリー４０が交換される過程で、給電端子６１、６２が第１のバッテリー４０に接続したときの状態を示す図、図４Ｂは、給電端子６１、６２が双方のバッテリー４０に接続したときの状態を示す図、図４Ｃは、バッテリーが交換される過程で、給電端子６１、６２が第２のバッテリー４０に接続したときの状態を示す図である。
【００２３】
図３および図４Ａから図４Ｃに示すように、バッテリー４０が交換される過程において給電端子６１、６２が、第１の接続、第２の接続、第３の接続の順に連続して切替可能に構成される。
【００２４】
（第１の接続：図４Ａ参照）
図４Ａに示す第１の接続において、給電端子６１、６２が第１のバッテリー４０のプラス電極４１に接続される。このとき、第１のバッテリー４０の電力が給電端子６２を介して検出素子に供給される。
【００２５】
（第２の接続：図４Ｂ参照）
バッテリー４０が交換される過程において、第２のバッテリー４０が貫通穴の入口５１１から挿入されると、その分だけ、第１のバッテリー４０が貫通穴の出口５１２から押し出される。このとき、給電端子６２が第１のバッテリー４０のプラス電極４１から外れるが、給電端子６１は第１のバッテリー４０のプラス電極４１に接続された状態を維持する。
【００２６】
さらに、第２のバッテリー４０が挿入されると、給電端子６１が第１のバッテリー４０のプラス電極４１から外れそうになるが、二つのバッテリー４０のプラス電極４１の間隔Ｌ３が、給電端子６１、６２の間隔Ｌ１より短いため、給電端子６１が第１のバッテリー４０のプラス電極４１から外れる前に、給電端子６２が第２のバッテリー４０に接続される。
【００２７】
すなわち、図４Ｂに示す第１の接続において、給電端子６１が第１のバッテリー４０のプラス電極４１に接続され、さらに、給電端子６２が第２のバッテリー４０のプラス電極４１に接続される。このとき、並列に接続されたバッテリー４０から電力が検出素子に供給される。実効的には、すでに第１のバッテリー４０の電力が落ちているため、第２のバッテリー４０の電力が給電端子６２を介して検出素子に供給される。すなわち、回路的には、この時点で電力供給の主体は、第１のバッテリー４０から第２のバッテリー４０へ切り替えられている。
【００２８】
（第３の接続：図４Ｃ参照）
さらに、第２のバッテリー４０が挿入されると、給電端子６１が第１のバッテリー４０のプラス電極４１から外れる。この場合であっても、引き続き連続して給電端子６２からの電力が検出素子に供給される。
【００２９】
さらに、第２のバッテリー４０が挿入されると、給電端子６１が第２のバッテリー４０のプラス電極４１に接続される。
すなわち、図４Ｃに示す第１の接続において、給電端子６１、６２が第２のバッテリー４０のプラス電極４１に接続される。このとき、第２のバッテリー４０の電力が給電端子６２を介して検出素子に供給される。また、第２のバッテリー４０が挿入され、やがて、第２のバッテリー４０が貫通穴に収納されたとき、第１のバッテリー４０が貫通穴から外れる。以上にように、第１のバッテリー４０から第２のバッテリー４０に交換される過程においては、第１の接続から第３の接続が連続して切り替わるため、二つのバッテリー４０の少なくとも一つから電力が検出素子に供給されるようになる。
【００３０】
なお、給電端子６１、６２は、上記の第２の接続状態で古い方の第１のバッテリー４０へ新しい方の第２のバッテリー４０からの電流が逆流する電流を防止するため、図３に示すように、挿入方向の奥側に配置された給電端子６１に逆流防止素子６４（図３ではダイオード）が直列に接続される。逆流防止素子６４が設けられることにより、挿入方向の手前側に配置された給電端子６２から奥側に配置された給電端子６１への電流が遮断される。
【００３１】
さらに、挿入時に並んだ二つのバッテリー４０のプラス電極４１に給電端子６１、６２がそれぞれ接続されたとき、新しい方のバッテリー４０の電力が給電端子６２を介して検出素子に供給される（図４Ｂ参照）。
【００３２】
［第２実施形態］
次に、Ｘ線検出装置１０の第２実施形態について図５Ａから図５Ｃを参照して説明する。図５Ａは、貫通穴に収納された第１のバッテリー４０を示す図である。
なお、第２実施形態において、第１実施形態と同じ構成については同一番号を付してその説明を省略し、異なる構成について主に説明する。
【００３３】
第１実施形態においては、スロット５１は、略矩形状の外形を有するＸ線検出装置１０の両側縁を貫通する貫通穴の形状を有したが、図５Ａに示すように、第２実施形態では、スロット５１は、同じく略矩形状の外形を有するＸ線検出装置１０の角部１５に設けられ、角部１５を挟む両辺縁１６を貫通する貫通穴の形状を有する。
【００３４】
図５Ａに示すように、貫通穴は、角部１５に近い壁部である上辺壁部５１４、角部１５から遠い壁部である底辺壁部５１５、および、それ以外の台形形状壁部５１６を有する。台形形状壁部５１６に２組の給電端子６１、６２が所定間隔だけ離れて配置される。
台形形状の貫通穴に収納されることを考慮すれば、台形形状の外形を有するバッテリー４０が用いられる。
【００３５】
第２実施形態においても、バッテリー４０のプラス電極４１の長さＬ２は、給電端子６１、６２の間隔Ｌ１より長く、二つ並んだバッテリー４０のプラス電極４１の間隔Ｌ３は給電端子６１、６２の間隔Ｌ１より短い。
【００３６】
図５Ａに示す第１の接続では、給電端子６１、６２が第１のバッテリー４０のプラス電極４１に接続される。このとき、第１のバッテリー４０の電力が給電端子６２を介して検出素子に供給される。
【００３７】
図５Ｂは入口に挿入された第２のバッテリー４０および出口から押し出された第１のバッテリー４０を示す図、図５Ｃは、貫通穴に収納された第２のバッテリー４０を示す図である。図５Ｂおよび図５Ｃに、挿入方向を矢印で示す。
【００３８】
図５Ｂに第２の接続では、給電端子６１、６２が双方のバッテリー４０のプラス電極４１に接続される。このとき、双方のバッテリー４０から検出素子に電力が供給される。
【００３９】
図５Ｃに示す第３の接続では、給電端子６１、６２が第２のバッテリー４０のプラス電極４１に接続される。このとき、第２のバッテリー４０の電力が給電端子６２を介して検出素子に供給される。
【００４０】
第２実施形態においても、第１のバッテリー４０から第２のバッテリー４０に交換される過程においては、第１の接続から第３の接続が連続して切り替わるため、二つのバッテリー４０の少なくとも一つから電力が検出素子に供給されるようになる。
【００４１】
第２実施形態では、略矩形状の外形を有するＸ線検出装置１０の角部１５に貫通穴が設けられるため、Ｘ線検出装置１０の外形に拘わらず、貫通穴の形状や大きさを一定にすることが可能となる。そのため、略矩形状の外形を有するＸ線検出装置１０であれば、外形の大きさが異なっても（異なる外形を図５Ａ〜図５Ｃに実線および一点鎖線で示す）、同じ形状および大きさの貫通穴を設けることで、同じ形状および大きさのバッテリー４０を用いることが可能となる。
【００４２】
［第３実施形態］
次に、Ｘ線検出装置１０の第３実施形態について図６Ａから図６Ｃを参照して説明する。
なお、第３実施形態において、第１実施形態と同じ構成については同一番号を付してその説明を省略し、異なる構成について主に説明する。
【００４３】
貫通穴に収納されたバッテリー４０は、貫通穴の内壁部５１３との摩擦で収納位置に拘束される。第３実施形態では、その拘束力をさらに高めるために、ロック機構７０が設けられる。
【００４４】
図６Ａは、貫通穴に収納された第１のバッテリー４０を挟む一対のフック部材７１を示す図、図６Ｂは、第１のバッテリーから離間された一対のフック部材を示す図である。
図６Ａに示すように、ロック機構７０は、端部同士が枢軸７２により軸支された一対のフック部材７１と、第１付勢部材７３と、ガイド部材７４と、制限部材７５と、第２付勢部材７６とを有する。
【００４５】
一対のフック部材７１は、貫通穴の内壁部５１３（図３参照）に設けられ、一対のフック部材７１のなす角度がスロット５１の挿入方向に狭められたロック位置（図６Ａ参照）とその角度が挿入方向に広がったアンロック位置（図６Ｂ参照）とに変位可能に構成される。一対のフック部材７１の角度が共に広がるように、また、共に狭まるように連動機構（図示しない）が設けられる。なお、連動機構は、一対のフック部材の端部に設けられたギア同士を噛み合わせることによっても構成される。
【００４６】
一対のフック部材７１は、ロック位置では貫通穴に収納されたバッテリー４０を挟むように、アンロック位置では貫通穴に収納されたバッテリー４０から離間されるように構成される。バッテリー４０の両端面には係止溝４３が設けられる。一対のフック部材７１は、ロック位置では係止溝４３に係止し、アンロック位置では係止溝４３から外れる。
【００４７】
第１付勢部材７３は、一対のフック部材７１をその角度が狭まる方向に付勢する。ガイド部材７４は、枢軸７２を上下方向に案内するガイド溝を有する。一対のフック部材７１がロック位置にあるとき、枢軸７２はガイド溝の下端部に位置する（図６Ａ参照）。一対のフック部材７１がアンロック位置にあるとき、枢軸７２はガイド溝の上端部に位置する（図６Ｂ参照）。
【００４８】
第１付勢部材７３の付勢力により一対のフック部材７１がロック位置に変位する。
【００４９】
制限部材７５は一対のフック部材７１の間に配置され、制限部材７５の両端が一対のフック部材７１に当接することにより、一対のフック部材７１のなす角度がロック位置のときとほぼ同じに狭められた待機位置に一対のフック部材７１を拘束する。第２付勢部材７６は、枢軸７２または枢軸７２が設けられるフック部材７１の基端部と、制限部材７５との間に圧縮された状態で架設される。
【００５０】
制限部材７５は、一対のフック部材７１がアンロック位置のとき、枢軸７２がガイド溝の上端部に位置することにより、また、第２付勢部材７６の付勢力により、スロット５１の内方向において一対のフック部材７１の位置と同じに、または、一対のフック部材７１の位置より内側に位置される。それにより、制限部材７５は、交換される過程においてバッテリー４０を案内するように構成される。
【００５１】
図６Ａに示す第１の接続において、給電端子６１、６２が第１のバッテリー４０のプラス電極４１に接続される。
【００５２】
図６Ａに示す状態において、第２のバッテリー４０が入口５１１に挿入されたとき、第２のバッテリー４０の係止溝４３に押されて、一対のフック部材７１が第１付勢部材７３の付勢力に抗してアンロック位置に変位する。
【００５３】
第２のバッテリー４０が入口５１１に挿入されたとき、第２のバッテリー４０が挿入された分だけ、第１のバッテリー４０が出口５１２から押し出され、図６Ｂに示す状態となる。このとき、第１のバッテリー４０および第２のバッテリー４０が制限部材７５により案内される。
【００５４】
図６Ｂに示す第２の接続において、給電端子６１が第１のバッテリー４０のプラス電極４１に接続される。また、給電端子６２が第２のバッテリー４０のプラス電極４１に接続される。
【００５５】
さらに、第２のバッテリー４０が入口５１１に挿入され、貫通穴に収納されたとき、第１のバッテリー４０が貫通穴から外れ、図６Ｃに示す状態となる。
図６Ｃに示す第３の接続において、給電端子６１、６２が第２のバッテリー４０のプラス電極４１に接続される。
【００５６】
［第４実施形態］
次に、Ｘ線検出装置１０の第４実施形態について図７および図８を参照して説明する。
なお、第４実施形態において、第１実施形態と同じ構成については同一番号を付してその説明を省略し、異なる構成について主に説明する。
【００５７】
第１実施形態において、バッテリー４０の挿入方向および貫通穴の貫通方向は、平面型Ｘ線検出器であるＸ線検出装置１０の平面（正面または背面）に沿った方向としたが、第４実施形態では、その平面に対し直交する方向とする。図７は、Ｘ線検出装置を概念的に示す正面図、図８は、Ｘ線検出装置を概念的に示す側面図である。図８に、平面に対し直交する方向を矢印で示し、矢印の方向を貫通方向とする貫通穴を有するスロット５１を示す。
【００５８】
図７及び図８では、バッテリー４０の電極、給電手段５０、および、ロック機構７０を省略するが、第１実施形態と同じように構成されることはいうまでもない。
【００５９】
さらに、貫通穴が配置される位置は、角部１５に限定されない。その位置は、Ｘ線検出装置１０の平面内であって、Ｘ線検出装置１０の機能に支障がない位置であれば、どこでもよく、例えば、中央部であってもよい。
【００６０】
前記第４実施形態に係るＸ線検出装置１０によれば、大型にしないで、かつ、バッテリーの交換作業を容易にするという第１実施形態と同様の効果を奏する。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１  Ｘ線診断装置
１０  Ｘ線検出装置
１１  Ｘ線発生部
１５  角部
１６  辺縁
２１  画像処理部
２２  インターフェース
２３  表示制御部
２４  表示部
２５  入力部
３０  制御部
４０  バッテリー
４１  プラス電極
４２  マイナス電極
４３  係止溝
５０  給電手段
５１  スロット
５１１  入口
５１２  出口
５１３  内壁部
５１４  上辺壁部
５１５  底辺壁部
５１６  台形形状壁部
６１、６２、６３ａ、６３ｂ  給電端子
６４  逆流防止素子
７０  ロック機構
７１  フック部材
７２  枢軸
７３  第１付勢部材
７４  ガイド部材
７５  制限部材
７６  第２付勢部材
【図１】
2015102471.tif 000003
【図２】
2015102471.tif 000004
【図３】
2015102471.tif 000005
【図４Ａ】
2015102471.tif 000006
【図４Ｂ】
2015102471.tif 000007
【図４Ｃ】
2015102471.tif 000008
【図５Ａ】
2015102471.tif 000009
【図５Ｂ】
2015102471.tif 000010
【図５Ｃ】
2015102471.tif 000011
【図６Ａ】
2015102471.tif 000012
【図６Ｂ】
2015102471.tif 000013
【図６Ｃ】
2015102471.tif 000014
【図７】
2015102471.tif 000015
【図８】
2015102471.tif 000016